【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
往復駆動される可動刃（６４）を含む切断刃ユニット（４）と、
可動刃（６４）の往復動方向と平行な出力軸（３４）を有するモーター（１３）と、
モーター（１３）の出力軸（３４）と平行に配置されて、該出力軸（３４）から回転動
力を伝動される伝動軸（８０）と、
伝動軸（８０）に設けられる駆動カム（８４）と、
駆動カム（８４）により往復駆動されて、可動刃（６４）に往復動力を伝動する振動子
（７９）とを備えており、
駆動カム（８４）と係合する受動部（８５）が、振動子（７９）の往復動方向に対する
直交方向の中途部に形成されていることを特徴とする電気かみそり。
【請求項２】
モーター（１３）を支持するモーターホルダー（９１）を備えており、
モーターホルダー（９１）の外面に、振動子（７９）を往復動自在に支持する摺動面（
９２）が形成されている請求項１に記載の電気かみそり。
【請求項３】
振動子（７９）が、モーターホルダー（９１）の摺動面（９２）と伝動軸（８０）とで
挟まれている請求項２に記載の電気かみそり。
【請求項４】
振動子（７９）に、伝動軸（８０）を受けるガイド凹部（８８）が設けられている請求
項３に記載の電気かみそり。
【請求項５】
伝動軸（８０）を回転自在に支持する軸受（８６・８７）が、モーターホルダー（９１
）に固定されている請求項２から４のいずれかひとつに記載の電気かみそり。
【請求項６】
前記振動子（７９）とは別の振動子（９８）と、振動子（７９）の往復動力を振動子（
９８）に伝動するＵ字状の伝動レバー（９９）とを備えており、
伝動レバー（９９）の一端部に振動子（７９）が連結され、伝動レバー（９９）の他端
部に振動子（９８）が連結されており、
伝動レバー（９９）の中途部が、揺動軸（１０４）のまわりに往復揺動可能にモーター
ホルダー（９１）で支持されており、
２つの振動子（７９・９８）が互いに逆向きに往復駆動される請求項２から５のいずれ
かひとつに記載の電気かみそり。
【請求項７】
前記切断刃ユニット（４）とは別の切断刃ユニット（５）を備えており、
振動子（９８）から切断刃ユニット（５）の可動刃（１２０）に往復動力が伝動される
請求項６に記載の電気かみそり。
【請求項８】
グリップを兼ねる本体ケース（１）と、本体ケース（１）の上部で傾動可能に支持され
るかみそりヘッド（２）とを備えており、
２つの切断刃ユニット（４・５）とモーター（１３）がかみそりヘッド（２）に配置さ
れており、
切断刃ユニット（５）が、使用時の突出姿勢と不使用時の収容姿勢との間で姿勢変更可
能に構成されており、
切断刃ユニット（５）の周囲に、切断刃ユニット（５）を突出姿勢へ向かって付勢する
推進ばね（１３１）と、推進ばね（１３１）の付勢力に抗して切断刃ユニット（５）を収
容姿勢にロックするロック手段（Ｌ）と、ロック手段（Ｌ）によるロック状態を解除する
ための操作ノブ（１４７）とが配置されている請求項７に記載の電気かみそり。
【請求項９】
かみそりヘッド（２）の下部に、かみそりヘッド（２）の外面に沿ってスライド操作さ
れる操作ノブ（１４７）が配置されており、
操作ノブ（１４７）のスライド方向が、上下方向に対する直交方向である請求項８に記
載の電気かみそり。
【請求項１０】
操作ノブ（１４７）の外面に平坦な操作面（１５３）が形成されており、
操作ノブ（１４７）のスライド方向から見て、操作面（１５３）がかみそりヘッド（２
）の上下方向の中心軸線（Ｐ２）に対して傾斜している請求項９に記載の電気かみそり。
【請求項１１】
かみそりヘッド（２）の上下方向の中心軸線（Ｐ２）と操作面（１５３）が挟む角（θ
１）は、本体ケース（１）とかみそりヘッド（２）の上下方向の中心軸線（Ｐ１・Ｐ２）
が挟む角（θ２）と同じか、これよりも小さい請求項１０に記載の電気かみそり。
【請求項１２】
操作ノブ（１４７）に臨む本体ケース（１）の上端部に、指受用の支持面（１５５）が
形成されている請求項９から１１のいずれかひとつに記載の電気かみそり。
【請求項１３】
ロック手段（Ｌ）が、操作ノブ（１４７）でロック解除操作されるロックプレート（１
３４）と、切断刃ユニット（５）に設けられる係合片（１３９）とを含み、
ロックプレート（１３４）の一端に操作ノブ（１４７）が固定され、ロックプレート（
１３４）の他端に弾性変形可能なロックアーム（１３６）が設けられており、
ロックアーム（１３６）の先端に設けたロック片（１３８）が、収容姿勢における切断
刃ユニット（５）の係合片（１３９）と係合することにより、切断刃ユニット（５）が収
容姿勢に保持されており、
ロックアーム（１３６）には、基端部（１４１）と先端部（１４２）の間で屈曲して、
先端部（１４２）を切断刃ユニット（５）に向かって指向させる湾曲部（１４４）が形成
されており、
切断刃ユニット（５）が突出姿勢から収容姿勢に戻る過程で、係合片（１３９）がロッ
クアーム（１３６）を弾性変形させながらロック片（１３８）を乗り越えて、ロック片（
１３８）と係合する請求項８から１２のいずれかひとつに記載の電気かみそり。
【請求項１４】
ロックプレート（１３４）に一対のロックアーム（１３６）が設けられ、切断刃ユニッ
ト（５）に一対の係合片（１３９）が設けられており、
切断刃ユニット（５）が収容姿勢にある状態において、一対のロック片（１３８）が係
合片（１３９）にそれぞれ係合する請求項１３に記載の電気かみそり。
【請求項１５】
一対のロックアーム（１３６）の先端部（１４２）の間に梁体（１４３）が設けられて
いる請求項１４に記載の電気かみそり。
【請求項１６】
かみそりヘッド（２）の外郭を構成するヘッドケース（２３）とロックプレート（１３
４）との対向面に、リブ（１５１）が設けられている請求項１３から１５のいずれかひと
つに記載の電気かみそり。
【請求項１７】
メイン刃（３）と切断刃ユニット（４）とモーター（１３）がかみそりヘッド（２）に
配置されており、
メイン刃（３）は、モーター（１３）を駆動源とする内刃（８）と、内刃（８）に外接
する切断部（４６）を有する外刃（９）とを含み、
切断刃ユニット（４）はメイン刃（３）の前方に配置されて、切断部（４６）に近い上
側の連携位置と、切断部（４６）から遠い下側の収容位置との間でスライド変位可能に構
成されており、
切断刃ユニット（４）をスライド案内するスライド溝（５８）の中心線（Ｐ３）が、か
みそりヘッド（２）の上下方向の中心軸線（Ｐ２）に対して後傾している請求項１から１
６のいずれかひとつに記載の電気かみそり。
【請求項１８】
かみそりヘッド（２）の外郭を構成するヘッドフレーム（２４）と、切断刃ユニット（
４）を前方へ付勢してヘッドフレーム（２４）の内面に押し付ける弾性体（５３）とを備
えており、
弾性体（５３）に正対する切断刃ユニット（４）の後面に、上下に並ぶ複数個の節度凹
部（７４・７５）が形成されており、
切断刃ユニット（４）の連携位置と収容位置のそれぞれにおいて、弾性体（５３）がい
ずれかの節度凹部（７４・７５）に係合する請求項１７に記載の電気かみそり。
【請求項１９】
切断刃ユニット（４）の連携位置における節度凹部（７５）と弾性体（５３）の係合強
度が、収容位置における節度凹部（７４）と弾性体（５３）の係合強度よりも大きく設定
されている請求項１８に記載の電気かみそり。
【請求項２０】
メイン刃（３）の外刃（９）の前後端部が、補強板（４９・５０）とともに保形枠（５
１）に固定されており、
切断刃ユニット（４）を付勢する弾性体（５３）が、前側の補強板（４９）と一体に設
けられている請求項１８または１９に記載の電気かみそり。